(57)【特許請求の範囲】
【請求項１】
底板を有する座受けベースと、前記座受けベースの下面に重なるように配置された第２ブラケットと、前記座受けベースと第２ブラケットとの両方に貫通した円筒状のブッシュと、上端部が前記ブッシュに嵌め込まれた脚支柱と、前記座受けベースに固着されていると共に前記ブッシュの上端が貫通している第１ブラケットとを備えており、前記座受けベースで座体が支持されており、前記第２ブラケットには、背部が取り付く揺動フレームを後傾動自在に取り付けている椅子であって、
前記座受けベースのブッシュ貫通穴は、前記ブッシュが全周にわたって密着する円形に形成されている一方、前記第２ブラケットにおけるブッシュ貫通穴の内周縁には、当該第２ブラケットが円周方向に沿って飛び飛びの状態でブッシュの外周面に当たるように切欠きが円周方向に沿って飛び飛びに形成されており、前記切欠きの箇所で少なくとも第２ブラケットを座受けベースの下面に溶接している、
椅子。
【請求項２】
前記第２ブラケットは前記切欠きの箇所で座受けベースに溶接されている一方、前記ブッシュは前記切欠きを除いた部位において第２ブラケットに溶接されており、更に、前記第２ブラケットはその周囲の適宜部位において座受けベースに溶接されている、
請求項１に記載した椅子。
【発明の詳細な説明】
【０００１】
【発明の属する技術分野】
本発明は、ロッキング式等の椅子に関するものである。
【０００２】
【従来の技術】
椅子の座体を高さ調節自在とする場合、一般に、脚支柱としてガスシリンダが使用されている。
【０００３】
すなわち、ガスシリンダの上端に上向き開口の座受けベースを固定し、この座受けベースで座体を直接に又は中間金具を介して支持すると共に、座受けベースの左右側板に貫通したピンにより、背もたれが取り付く揺動フレームを後傾動自在に枢支し、揺動フレームの後傾動をばねで支持した構造になっている。
【０００４】
また、座体を座受けベースに対して後退動及び後傾動自在に取付け、座体と揺動フレームとをピンで連結することにより、背もたれの後傾動に連動して座体が後傾ししつ後退するシンクロタイプの椅子も広く知られている。
【０００５】
【発明が解決しようとする課題】
ところで、ガスシリンダの昇降ストロークには限度がある。この点、座体が上限の高さであるにもかかわらず低く感じる場合は、座体に座布団を敷くことによって対処できる。
【０００６】
他方、座体が下限の高さであるにもかかわらず高く感じる場合は対処方法がなく、使用者は我慢せざるを得ない。従って、座体の昇降は、身長の低い人に合わせて、下限高さ位置をできるだけ低くするのが好ましい。
【０００７】
この点については、ガスシリンダを座受けベースのできるだけ高い位置に取付ければ良いと考えられる。
【０００８】
しかし、揺動フレームの回動を許容するためには、揺動フレームの回動中心から座体の下面までにはある程度の寸法が必要であり、このため、従来のように揺動フレームを座受けベースに直接に取付けた状態の下でガスシリンダの取付け位置を高くすると、必然的に、座受けベースは深さの深いものに設計変更しなければならず、このため座受けベースが大型化して重量が増大する虞がある。
【０００９】
この点については、座受けベースの下面にブラケットを取り付けて、このブラケットに揺動フレームを取り付ければ良い。この場合、ブラケットの取り付けの確実性の点からは、ブラケットは座受けベースに溶接するのが好ましい。
【００１０】
また、加工の容易性の点からは、ブラケットと座受けベースとに貫通した状態でブッシュを取り付け、このブッシュにガスシリンダの上端部を嵌め込むのが好ましい。この場合、強度の点からは、ブッシュをブラケット又は座受けベースに溶接するのが好ましい。
【００１１】
そして、ブラケットと座受けベースとはブッシュにできるだけ近い部分で溶接するのが好ましい。
【００１２】
この点については、ブラケットのブッシュ貫通穴をブッシュよりも大径に形成して、この穴の内周の箇所でブラケットと座受けベースとを溶接すれば良いと考えられる。しかし、これではブラケットとブッシュとの芯出し（位置決め）が面倒であるばかりか、ブッシュの取り付け強度が弱くなるという問題がある。
【００１３】
本発明は、このような問題を生じることなく、座受けベースに背もたれ取り付け用のブラケットを溶接できるようにすることを目的とするものである。
【００１４】
【課題を解決するための手段】
本発明に係る椅子は、底板を有する座受けベースと、前記座受けベースの下面に重なるように配置された第２ブラケットと、前記座受けベースと第２ブラケットとの両方に貫通した円筒状のブッシュと、上端部が前記ブッシュに嵌め込まれた脚支柱と、前記座受けベースに固着されていると共に前記ブッシュの上端が貫通している第１ブラケットとを備えており、前記座受けベースで座体が支持されており、前記第２ブラケットには、背部が取り付く揺動フレームを後傾動自在に取り付けている。
【００１５】
そして、請求項１の発明では、前記座受けベースのブッシュ貫通穴は、前記ブッシュが全周にわたって密着する円形に形成されている一方、前記第２ブラケットにおけるブッシュ貫通穴の内周縁には、当該第２ブラケットが円周方向に沿って飛び飛びの状態でブッシュの外周面に当たるように切欠きが円周方向に沿って飛び飛びに形成されており、前記切欠きの箇所で少なくとも第２ブラケットを座受けベースの下面に溶接している。
【００１６】
請求項２の発明では、請求項１において、前記第２ブラケットは前記切欠きの箇所で座受けベースに溶接されている一方、前記ブッシュは前記切欠きを除いた部位において第２ブラケットに溶接されており、更に、前記第２ブラケットはその周囲の適宜部位において座受けベースに溶接されている。
【００１７】
【発明の作用・効果】
本発明によると、ブラケットは円周方向に沿って飛び飛びの状態でブッシュに当たっているため、ブッシュとブラケットとを嵌め合わせると、両者は自動的に位置決めされる。このため組み立て作業の手間を軽減できる。
【００１８】
また、ブッシュと座受けベースとがブッシュの近くで溶接されていることと、ブラケットと座受けベースとが重なった状態でブッシュに当たっていることとが相まって、ブッシュの取り付け強度を向上することができる。
【００１９】
また、請求項２のように構成すると、ブッシュとブラケットとの溶接箇所と、ブラケットと座受けベースとの溶接箇所とが円周方向に沿って並んでいるため、溶接に際してのひずみを抑制して、ブッシュの取り付け精度を向上することができる利点がある。
【００２０】
【発明の実施形態】
次に、本発明の実施形態を図面に基づいて説明する。
【００２１】
(1).第１実施形態（図１〜図３）
図１〜図３では第１実施形態を示している。図１は椅子の右側面図、図２のうち（Ａ）は縦断側面図、（Ｂ）は要部の拡大断面図、（Ｃ）は（Ｂ）のＣ−Ｃ視断面図、図３は分離斜視図である。
【００２２】
椅子は、脚支柱の一例としてのガスシリンダ１を備えた脚２と、ガスシリンダ２の上端に固定した上向き開口の座受けベース３と、座受けベース３に上方から被さる中間金具４と、中間金具４の後方に配置した揺動フレーム５と、中間金具４と揺動フレーム５とで支持した座体６と、揺動フレーム５に取り付けた背部７とを備えている。
【００２３】
座受けベース３は、図３に示すように、左右の側板３ａと底板３ｂとを備えていて上向きに開口しており、開口縁にはフランジ３ｃを形成している。ガスシリンダ１は脚カバー８で覆われており、座受けベース３も上向きに開口したベースカバー９で下方から覆われている。
【００２４】
座受けベース３の底面には第１ブラケット１０を固着しており、この第１ブラケット１０にブッシュ１１の上端を溶接し（溶接箇所を符号Ｗ１で示す）、ブッシュ１１にガスシリンダ１の上端３を嵌着している。また、座受けベース３における左右両側板３ａの前部には前後長手の長穴１２が空いており、この長穴１２と中間金具４の側板４ａとに第１ピン１３が貫通している。
【００２５】
座受けベース３の下面には、左右一対の側板１４ａを備えた正面視下向き開口コ字状の第２ブラケット１４を溶接やねじ止め等によって固着している。
【００２６】
一方、揺動フレーム５は、第２ブラケット１４の外側に位置する側板５ａを備えており、揺動フレーム５の前端部を、座受けベース３の側板３ａに貫通した第２ピン１５によって第２ブラケット１４に取付けている。
【００２７】
したがって、揺動フレーム５の回動中心はガスシリンダ１の上端よりもかなり下方に位置している。
【００２８】
座受けベース３のブッシュ貫通穴３ｄ（図２（Ｂ）参照）は、その全周にわたってブッシュ１１に密着している。他方、図２（Ｂ）（Ｃ）に示すように、第２ブラケット１４におけるブッシュ１１の貫通穴１４ｂは、飛び飛びの状態でブッシュ１１に密着するように、円周方向に沿って適当な間隔で切欠き１４ｃが形成されている。従って、切欠き１４ｃの箇所で座受けベース３は下方に露出している。
【００２９】
そして、各切欠き１４ｃの箇所で、ブッシュ１１を座受けベース３の下面に溶接すると共に、第２ブラケット１４を座受けベース３における底板３ｂの下面に溶接している。ブッシュ１１と座受けベース３との溶接箇所を符号Ｗ２で示し、第２ブラケット１４と座受けベース３との溶接箇所を符号Ｗ３で示している。
【００３０】
揺動フレーム５と中間金具４とは第３ピン１６によって連結されている。例えば図３に示すように、揺動フレーム５には、左右方向に広がる翼状の受け板２０を固着している。座体６の後部は受け板２０で支持されている。また、受け板２０の傾斜部の外面に、肘掛け装置の支柱をねじで固定することができる。
【００３１】
揺動フレーム５が後傾すると第３ピン１６も第２ピン１５を中心にして下向き回動するが、座受けベース３の側板３ａを切欠いて（切欠き部を図２及び図３に符号３ａ′で示す）、第３ピン１６を第１ブラケット１０の上面に当てることにより、揺動フレーム５等の回動限度を規制している。
【００３２】
この場合、第１ブラケット１０に形成した穴にゴム等の緩衝ストッパー１０′を嵌め込んで、回動停止時の衝撃を和らげている。緩衝ストッパー１０′は第１ブラケット１０の上面に接着したりねじ止めしたりするなどしても良い。
【００３３】
図１や図２に示すように、座受けベース３の後部には、揺動フレーム５に貫通した下向きのロッド１７が回転不能に取付けられており、このロッド１７の下端部に設けたばね受け１８で、弾性手段の一例としてのコイルばね（図示せず）を支持しており、コイルばねで揺動フレーム５を受けている。コイルばねはホルダー１９に嵌まっている。
【００３４】
背部７は、着座した人の腰を包むように平面視で前向き凹状に形成された腰部アウター部材２１と、この腰部アウター部材２１に取付けた背受け２２とから成っている。
【００３５】
腰部アウター部材２１は、揺動フレーム５の受け板２０に固定されている。図２に示すように、背受け２２は、アウターシェル２２ａと、その手前に位置するインナーシェル２２ｂとを備えており、インナーシェル２２ｂにはクッション２２ｃを張っている。
【００３６】
以上の構成において、揺動フレーム５の回動中心である第２ピン１５はガスシリンダ１の上端よりもかなり下方に位置しているため、座体６の下降加減高さを低くして、身長の低い人も安定した状態で着座することができる。
【００３７】
そして、座受けベース３は大型化することなく、必要最小限度の重量の第２ブラケット１４を設ければ足りるため、重量増大を抑制できる。また、第２ブラケット１４と座受けベース３とが二枚重ねになった部分にブッシュ１１が取付けられているため、ガスシリンダ１の取付け強度も高い。
【００３８】
また、第２ブラケット１４とブッシュ１１とは円周方向に沿って飛び飛びの状態で当接しているため、第２ブラケット１４をワンタッチ的に位置決めすることができる。しかも、切欠き１４ｃの箇所で第２ブラケット１４と座受けベース３とが溶接されているため、第２ブラケット１４と座受けベース３とがブッシュ１１の近傍で一体化し、その結果、ブッシュ１１の取り付け強度も高い。
【００３９】
(2).第２実施形態（図４〜図６）
図４〜図６では第２実施形態を示している。図４は第２ブラケット１４の斜視図、図５は正断面図、図６は底面図である。
【００４０】
この例では、第２ブラケット１４には、座受けベース３の側面に重なるリップ２４を切り起こし形成しており、このリップ２４と座受けベース３とを溶接している（溶接箇所を、図５において符号Ｗ４で示している）。リップ２４の存在により、第２ブラケット１４の位置決めが一層簡単になる。
【００４１】
また、第２ブラケット１４の前後両側縁に切欠き部２５を形成し、この切欠き部２５の箇所で、座受けベース３に溶接している（溶接箇所を図６において符号Ｗ５で示している）。また、第２ブラケット１４の左右両側部には補強リブ２６を形成している。
【００４２】
そして、図６に示すように、本実施形態では、第２ブラケット１４におけるブッシュ貫通穴１４ｂの切欠き１４ｃの箇所では第２ブラケット１４と座受けベース３のみを溶接し、隣り合った切欠き１４ｃの間の部位でブッシュ１１と第２ブラケット１４とを溶接している（ブッシュ１１と第２ブラケット１４との溶接箇所を符号Ｗ６で示している）。
【００４３】
この第２実施形態では、ブッシュ１１と第２ブラケット１４との溶接箇所Ｗ６と、第２ブラケット１４と座受けベース３との溶接箇所Ｗ３とが円周方向に断続しているため、溶接工程でのひずみを抑制して、精度（溶接の品質）を向上できる。また、第２ブラケット１４はその外周においても座受けベース３に溶接されているため、座受けベース３に対する取り付け強度も格段に向上できる。
【００４４】
図４に一点鎖線で示すように、第２ブラケット１４に抜き穴２７を適当な個数だけ形成し、この抜き穴２７の箇所で第２ブラケット１４と座受けベース３とを溶接することも可能である。
【００４５】
(3).揺動フレーム５の回動安全機構
第１実施形態で説明したように、第３軸１６が第１ブラケット１０に当たることにより、揺動フレーム５の回動範囲が規制される。
【００４６】
しかし、過大な荷重がかかる等して、第３軸１６が折れてしまう不測の事態が生じると、着座した人は後ろに大きくのけぞってしまい、危険である。
【００４７】
この点に関する安全機構として、図２，図３，図５，図７等に示すように、第２ブラケット１４における左右側板１４ａの前端部に下向きストッパー部１４ｄを設ける一方、揺動フレーム５の下端に、第２ブラケット１４の側板１４ａと平面視で重なる内向きフランジ５ｂを設けている。
【００４８】
図７に示すように、通常の状態では揺動フレーム５は一点鎖線で示す姿勢まで回動する。そして、第３軸１６が折損すると、揺動フレーム５の内向きフランジ５ｂが第２ブラケット１４のストッパー部１４ｄに当たることにより、揺動フレーム５が過度に回動することが阻止される。このため、着座した人が後ろにひっくり返ることを防止できる。
【００４９】
(4).その他
本願発明は、上記の実施形態の他にも様々に具体化できる。例えば、座受けベースや揺動フレーム取り付け用ブラケットの形態は必要に応じて変更できる。
【図面の簡単な説明】
【図１】第１実施形態に係る椅子の右側面図である。
【図２】 (A)は縦断右側面図、 (B)は部分拡大図、 (C)は (B)の C-C視断面図である。
【図３】座受けベースと中間金具と揺動フレームとの分離斜視図である。
【図４】第２実施形態に係る第２ブラケットの斜視図である。
【図５】座受け部の正断面図である。
【図６】座受け部の底面図である。
【図７】回動規制安全機構を示す側面図である。
【符号の説明】
１  脚支柱としてのガスシリンダ
３  座受けベース
３ｄ  座受けベースのブッシュ貫通穴
５  揺動フレーム
６  座体
１０  第１ブラケット
１１  ブッシュ
１４  第２ブラケット
１４ｂ  第２ブラケットのブッシュ貫通穴
１４ｃ  切欠き
Ｗ１〜Ｗ６  溶接箇所
【図１】
0003801863.tif 000002
【図２】
0003801863.tif 000003
【図３】
0003801863.tif 000004
【図４】
0003801863.tif 000005
【図５】
0003801863.tif 000006
【図６】
0003801863.tif 000007
【図７】
0003801863.tif 000008